(57)【要約】【課題】遅延調整における誤差を低減する。【解決手段】データ送信では、所定の周期で制御信号が常に送信され、送信対象となるデータ信号が存在するタイミングでは制御信号に続いてデータ信号が送信される。送信信号に対して歪補償を行う歪補償装置において、トリガ信号生成手段２が制御信号に基づいてトリガとなる信号を生成し、タイミング差調整手段３がトリガとなる信号に基づく動作タイミングで送信信号について歪補償前の信号と歪補償後の帰還信号とのタイミング差を調整し、歪補償態様生成手段４が調整後における歪補償前の信号と歪補償後の帰還信号との誤差に基づいて歪補償の態様を生成し、歪補償実行手段１が歪補償の態様に基づいて送信信号に対して歪補償を行う。【選択図】  図１
2012129837.tif 000002
【特許請求の範囲】
【請求項１】
送信信号に対して歪補償を行う歪補償装置において、
データ送信では、所定の周期で制御信号が常に送信され、送信対象となるデータ信号が存在するタイミングでは制御信号に続いてデータ信号が送信され、
当該歪補償装置は、前記制御信号に基づいてトリガとなる信号を生成するトリガ信号生成手段と、
前記トリガ信号生成手段により生成されたトリガとなる信号に基づく動作タイミングで、前記送信信号について、歪補償前の信号と歪補償後の帰還信号とのタイミング差を調整するタイミング差調整手段と、
前記タイミング差調整手段による調整後における前記歪補償前の信号と前記歪補償後の帰還信号との誤差に基づいて、歪補償の態様を生成する歪補償態様生成手段と、
前記歪補償態様生成手段により生成された歪補償の態様に基づいて、前記送信信号に対して歪補償を行う歪補償実行手段と、
を備えたことを特徴とする歪補償装置。
【発明の詳細な説明】
【技術分野】
【０００１】
本発明は、例えば、送信信号を増幅器で増幅する際に発生する歪を補償する歪補償装置に関し、特に、バースト送信における送信出力オフ区間を避けて送信信号と帰還信号の遅延調整をすることで、遅延調整における誤差を低減する歪補償装置に関する。
【背景技術】
【０００２】
まず、送信信号、連続送信、バースト送信について説明する。
本例では、所定の周期で制御信号が常に送信され、送信対象となるデータ信号が存在するタイミングでは制御信号に続いてデータ信号が送信される場合を例とする。
この場合、送信対象となるデータ信号が存在し続けるときには、制御信号とデータ信号の組が前記した所定の周期で送信され続けることになり、連続送信の状態となる。
一方、送信対象となるデータ信号が存在しないときには、制御信号のみが送信されることになり、バースト送信の状態となる。
ここで、データ信号が存在して送信されるタイミングでは送信出力がオンとされ、データ信号が存在せずに送信されないタイミングでは送信出力がオフとされる。
また、連続送信においても、バースト送信においても、一連の信号（送信出力がオンの区間及びオフの区間の両方を含む）を送信信号とする。
また、送信信号を増幅器で増幅する際に発生する歪を補償する歪補償装置では、一例として、送信出力がオンの区間のみで送信信号に対して歪補償処理（例えば、逆特性の歪を与える処理）をオンとして実行し、送信出力がオフの区間においては送信信号に対して歪補償処理（例えば、逆特性の歪を与える処理）をオフとして実行しない。
【０００３】
以下で、背景技術を説明する。
例えば、有線又は無線の通信システムにおいて、送信機で、送信信号を増幅器により増幅する場合に、当該増幅器で発生する歪を歪補償装置により補償することが行われる。
図３には、送信機に設けられるプリディストーション方式の歪補償機能付きの増幅装置の構成例を示してある。
本例の歪補償機能付き増幅装置は、歪補償部１０１、遅延調整部１０２、誤差演算部１０３、増幅器１０４を備えている。
【０００４】
本例の歪補償機能付き増幅装置において行われる動作の例を示す。
送信機における送信信号が歪補償部１０１及び遅延調整部１０２に入力される。
歪補償部１０１は、メモリに記憶された歪補償テーブルの内容に基づいて、入力された送信信号に対して歪補償処理（例えば、逆特性の歪を与える処理）を行い、当該歪補償処理後の送信信号を出力する。
ここで、歪補償テーブルには、例えば、信号のレベル（例えば、振幅或いは電力）と歪補償態様（例えば、歪補償のための係数など）との対応の内容が格納され、そして、歪補償テーブルの内容に基づいて、歪補償部１０１は、検出した送信信号のレベルに対応した歪補償態様で、当該送信信号に対して歪補償処理を行う。
【０００５】
歪補償部１０１から出力された歪補償処理後の送信信号は増幅器１０４により増幅されて、その増幅信号が送信アンテナ側（図示せず）へ出力される。また、その増幅信号の一部が方向性結合器などにより取得されて、帰還信号（フィードバック信号）として、遅延調整部１０２及び誤差演算部１０３に入力される。
【０００６】
遅延調整部１０２は、送信信号と帰還信号を入力し、これらの信号に基づいて、入力された送信信号の遅延時間（遅れている場合ばかりでなく進んでいる場合も含む）を調整して、当該遅延調整後の送信信号を誤差演算部１０３へ出力する。
ここで、送信信号の遅延調整を行う手法としては、種々なものが用いられてもよく、例えば、送信信号の波形と帰還信号の波形が（できるだけ或いは適度に）一致するように、これらの信号のタイミングを合わせる。
なお、他の構成例として、帰還信号に対して遅延調整を行う構成や、或いは、送信信号と帰還信号の両方に対して遅延調整を行う構成が用いられてもよい。
【０００７】
誤差演算部１０３は、遅延調整部１０２から入力された遅延調整後の送信信号と入力された帰還信号との誤差を演算し、得られる誤差が小さくなるように、メモリに記憶された歪補償テーブルの内容を更新する。
このように歪補償テーブルの内容を適応的に更新することにより、例えば、経年変化や温度変化に対して、良好な歪補償テーブルの内容を保持することができる。
【０００８】
ここで、歪補償機能で使用する歪補償テーブルを作成する上で、送信信号と増幅器１０４からの帰還信号の遅延を合わせることは必須である。遅延調整の誤差が大きくなると歪補償性能を劣化させる要因となり得る。
【０００９】
図４（ａ）、（ｂ）には、連続送信時について、遅延調整の様子の一例をイメージで示してある。
図４（ｃ）、（ｄ）には、バースト送信の送信出力オフ区間（送信出力がオフである区間）について、遅延調整の様子の一例をイメージで示してある。
図４（ａ）及び図４（ｃ）では、それぞれ、遅延調整前について、送信信号と帰還信号の関係を示してある。図４（ｂ）及び図４（ｄ）では、それぞれ、遅延調整後について、送信信号と帰還信号の関係を示してある。各グラフの横軸は時間を表しており、各グラフの縦軸はレベルを表している。
【００１０】
図４（ａ）、（ｂ）に示されるように、連続送信では、信号の変動が激しく、本信号を用いた遅延調整において、誤差は少ない。
一方、図４（ｃ）、（ｄ）に示されるように、バースト送信では、送信出力オフ区間において信号が緩やかに変化し、本信号で遅延調整を行うと誤差が大きくなる。
【００１１】
図５（ａ）〜（ｃ）を参照して、従来例に係る遅延調整部１０２の動作のタイミングの例を示す。
図５（ａ）には、連続送信における送信信号の一例を示してある。
図５（ｂ）には、バースト送信における送信信号の一例を示してある。
図５（ｃ）には、遅延調整部１０２の動作タイミングの一例を模式的に示してある。
【００１２】
図５（ａ）〜（ｃ）に示されるように、従来例では、遅延調整動作の周期に関し、遅延調整部１０２の動作タイミングは送信信号と非同期であるため、バースト送信時に、送信出力オフ区間で遅延調整を行う場合があり、この場合、誤差が大きくなり歪補償性能を劣化させてしまう。
【先行技術文献】
【特許文献】
【００１３】
【特許文献１】国際公開第２００６／０８７８６４号パンフレット
【発明の概要】
【発明が解決しようとする課題】
【００１４】
上述のように、従来の歪補償機能付き増幅装置では、例えば、バースト送信時に、送信出力オフ区間で遅延調整を行う場合があり、この場合、誤差が大きくなり歪補償性能を劣化させてしまうといったことがあった。
本発明は、このような従来の事情に鑑み為されたもので、バースト送信における送信出力オフ区間を避けて送信信号と帰還信号の遅延調整をすることで、遅延調整における誤差を低減することができる歪補償装置を提供することを目的とする。
【課題を解決するための手段】
【００１５】
上記目的を達成するため、本発明では、送信信号に対して歪補償を行う歪補償装置において、次のような構成とした。
すなわち、データ送信では、所定の周期で制御信号が常に送信され、送信対象となるデータ信号が存在するタイミングでは制御信号に続いてデータ信号が送信される。
また、当該歪補償装置では、トリガ信号生成手段が、前記制御信号に基づいて、トリガとなる信号を生成する。タイミング差調整手段が、前記トリガ信号生成手段により生成されたトリガとなる信号に基づく動作タイミングで、前記送信信号について、歪補償前の信号と歪補償後の帰還信号とのタイミング差を調整する。歪補償態様生成手段が、前記タイミング差調整手段による調整後における前記歪補償前の信号と前記歪補償後の帰還信号との誤差に基づいて、歪補償の態様を生成する。歪補償実行手段が、前記歪補償態様生成手段により生成された歪補償の態様に基づいて、前記送信信号に対して歪補償を行う。
【００１６】
従って、バースト送信における送信出力オフ区間を避けて歪補償前の信号（送信信号）と歪補償後の信号（帰還信号）のタイミング調整（遅延調整）をすることで、例えば、バースト送信における送信出力オフ区間にタイミング調整をする場合と比べて、タイミング調整における誤差を低減することができる。
【００１７】
ここで、制御信号やデータ信号としては、それぞれ、種々なものが用いられてもよい。また、制御信号の周期としては、種々な値が用いられてもよい。
また、制御信号に基づいてトリガとなる信号を生成する態様としては、例えば、制御信号に同期したタイミングでトリガとなる信号を生成する態様を用いることができる。
【００１８】
また、トリガとなる信号に基づく動作タイミングとしては、例えば、歪補償前の信号（送信信号）と歪補償後の帰還信号とのタイミング差を調整する処理が、送信出力オン区間（例えば、制御信号の区間）において行われるような動作タイミングが用いられる。
また、歪補償前の信号（送信信号）と歪補償後の帰還信号とのタイミング差を調整する態様としては、種々なものが用いられてもよく、例えば、これら２つの信号のうちの一方又は両方のタイミングをずらして、これら２つの信号のタイミングを合わせるような態様を用いることができる。
【００１９】
また、タイミング差の調整後における歪補償前の信号（送信信号）と歪補償後の帰還信号との誤差に基づいて、歪補償の態様を生成する処理としては、例えば、当該誤差が小さくなるように歪補償の態様を生成するように行われる。
また、歪補償の態様を生成する処理としては、例えば、新規に生成する処理ばかりでなく、既に生成されている内容を変更（更新）することで新たな内容を生成する処理が用いられてもよい。
また、歪補償の態様としては、種々なものが用いられてもよく、例えば、信号のレベル（例えば、振幅或いは電力）と歪補償態様（例えば、歪補償のための係数など）との対応の内容が格納された歪補償テーブルの情報を用いることができる。
【発明の効果】
【００２０】
以上説明したように、本発明に係る歪補償装置によると、バースト送信における送信出力オフ区間を避けて歪補償前の信号（送信信号）と歪補償後の信号（帰還信号）のタイミング調整（遅延調整）をすることで、例えば、バースト送信における送信出力オフ区間にタイミング調整をする場合と比べて、タイミング調整における誤差を低減することができる。
【図面の簡単な説明】
【００２１】
【図１】本発明の一実施例に係る送信機に設けられる歪補償機能付き増幅装置の構成例を示す図である。
【図２】（ａ）は連続送信における送信信号の一例を示す図であり、（ｂ）はバースト送信における送信信号の一例を示す図であり、（ｃ）は開始トリガ信号の一例を示す図であり、（ｄ）は遅延調整部の動作タイミングの一例を模式的に示す図である。
【図３】送信機に設けられる歪補償機能付き増幅装置の構成例を示す図である。
【図４】（ａ）、（ｂ）は連続送信時における遅延調整の様子の一例をイメージで示す図であり、（ｃ）、（ｄ）はバースト送信の送信出力オフ区間における遅延調整の様子の一例をイメージで示す図である。
【図５】（ａ）は連続送信における送信信号の一例を示す図であり、（ｂ）はバースト送信における送信信号の一例を示す図であり、（ｃ）は遅延調整部の動作タイミングの一例を模式的に示す図である。
【発明を実施するための形態】
【００２２】
本発明に係る実施例を図面を参照して説明する。
図１には、本発明の一実施例に係る送信機に設けられるプリディストーション方式の歪補償機能付きの装置の構成例を示してある。
本例の歪補償機能付き増幅装置は、歪補償部１、トリガ生成部２、遅延調整部３、誤差演算部４、増幅器５を備えている。
【００２３】
本例の歪補償機能付き増幅装置において行われる動作の例を示す。
送信機における送信信号が歪補償部１及び遅延調整部３に入力される。
歪補償部１は、メモリに記憶された歪補償テーブルの内容に基づいて、入力された送信信号に対して歪補償処理（例えば、逆特性の歪を与える処理）を行い、当該歪補償処理後の送信信号を出力する。
ここで、歪補償テーブルには、例えば、信号のレベル（例えば、振幅或いは電力）と歪補償態様（例えば、歪補償のための係数など）との対応の内容が格納され、そして、歪補償テーブルの内容に基づいて、歪補償部１は、検出した送信信号のレベルに対応した歪補償態様で、当該送信信号に対して歪補償処理を行う。
【００２４】
歪補償部１から出力された歪補償処理後の送信信号は増幅器５により増幅されて、その増幅信号が送信アンテナ側（図示せず）へ出力される。また、その増幅信号の一部が方向性結合器などにより取得されて、帰還信号（フィードバック信号）として、遅延調整部３及び誤差演算部４に入力される。
【００２５】
トリガ生成部２は、送信信号に付随する制御信号を入力し、入力した制御信号に基づいて、動作開始のトリガとなる信号（開始トリガ信号）を生成して遅延調整部３へ出力する。
ここで、本例では、制御信号のタイミングに同期して、開始トリガ信号が生成される。
また、開始トリガ信号は、例えば、制御信号を利用して生成されてもよく、或いは、制御信号とは別に、生成されてもよい。
【００２６】
遅延調整部３は、トリガ生成部２から開始トリガ信号を入力するとともに、送信信号と帰還信号を入力し、これらの信号に基づいて、入力された送信信号の遅延時間（遅れている場合ばかりでなく進んでいる場合も含む）を調整して、当該遅延調整後の送信信号を誤差演算部４へ出力する。本例では、遅延調整部３は、開始トリガ信号に同期したタイミングで、遅延調整処理の動作を行う。
ここで、送信信号の遅延調整を行う手法としては、種々なものが用いられてもよく、例えば、送信信号の波形と帰還信号の波形が（できるだけ或いは適度に）一致するように、これらの信号のタイミングを合わせる。
なお、他の構成例として、帰還信号に対して遅延調整を行う構成や、或いは、送信信号と帰還信号の両方に対して遅延調整を行う構成が用いられてもよい。
【００２７】
誤差演算部４は、遅延調整部３から入力された遅延調整後の送信信号と入力された帰還信号との誤差を演算し、得られる誤差が小さくなるように、メモリに記憶された歪補償テーブルの内容を更新する。
このように歪補償テーブルの内容を適応的に更新することにより、例えば、経年変化や温度変化に対して、良好な歪補償テーブルの内容を保持することができる。
【００２８】
ここで、制御信号について説明する。
本例では、所定の周期で制御信号が常に送信され、送信対象となるデータ信号が存在するタイミングでは制御信号に続いてデータ信号が送信される場合を例とする。
本例では、開始トリガ信号は、トリガ生成部２において、送信信号に付随する制御信号から生成される。
制御信号とは、送信信号に付随する特定の周期の信号であり、データの先頭に位置する信号である。
制御信号としては、例えば、一般に、ＢＦＮ（Ｎｏｄｅ  Ｂ  ｓｐｅｃｉｆｉｃ  ｆｒａｍｅ  ｎｕｍｂｅｒ）信号等があり、この場合には、１０ｍｓ周期の信号である。
データ信号が配置される位置の先頭には、制御信号が配置されており、そして、制御信号の区間は、バースト送信時（データ信号が配置されないとき）でも、送信出力がオンとなる区間（例えば、有意な信号が存在する区間）となる。
なお、具体例として、制御信号としては、ＬＴＥ（Ｌｏｎｇ  Ｔｅｒｍ  Ｅｖｏｌｕｔｉｏｎ）では、ＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）とＰＢＣＨ（Ｐｈｙｓｉｃａｌ  Ｂｒｏａｄｃａｓｔ  Ｃｈａｎｎｅｌ）の組み合わせが該当する。
【００２９】
本例では、このような制御信号を元に、遅延調整部３の動作タイミングを制御することで、送信出力オン区間（送信出力がオンとなる区間）で遅延調整を動作させるようにしてあり、送信出力オフ区間では遅延調整を動作させないようにしてある。送信出力オン区間では、図４（ａ）、（ｂ）に示されるような信号波形となるため、誤差が少ない遅延調整を実現することが可能である。
【００３０】
図２（ａ）〜（ｄ）を参照して、本例の遅延調整部３の動作のタイミングの例を示す。
図２（ａ）には、連続送信における送信信号の一例を示してある。
図２（ｂ）には、バースト送信における送信信号の一例を示してある。
図２（ｃ）には、開始トリガ信号（本例では、パルス信号）の一例を示してある。
図２（ｄ）には、遅延調整部３の動作タイミングの一例を模式的に示してある。
【００３１】
図２（ａ）〜（ｄ）に示されるように、本例では、連続送信とバースト送信のいずれにおいても、遅延調整部３の動作タイミングは、データ信号が配置される位置の先頭（制御信号が配置される位置）となり、送信出力オン区間で遅延調整を動作させている。本例では、遅延調整動作の周期に関し、遅延調整部３の動作タイミングは制御信号と同期し、これにより、送信信号と同期する。
このように、本例では、従来技術で問題であった、送信出力オフ区間における遅延調整による誤差を解消することができる。
【００３２】
以上のように、本例の送信機における歪補償機能付き増幅装置では、遅延調整機能を有する歪補償装置（本例では、歪補償部１、トリガ生成部２、遅延調整部３、誤差演算部４からなる装置）を備える。
本例の歪補償装置では、誤差演算部４で求めた歪補償テーブルを用いて送信信号に歪補償を行う歪補償部１と、遅延調整部３で遅延調整された送信信号と帰還信号を用いて誤差を算出して歪補償テーブルを求める誤差演算部４と、送信信号と帰還信号の遅延を調整する遅延調整部３と、制御信号を用いて送信出力オン区間の開始位置（各送信信号の開始位置）から遅延調整を開始することを実現する開始トリガ信号を生成するトリガ生成部２を備え、これにより、バースト送信においても、送信出力オフ区間を避けて遅延調整を行うことで、遅延調整誤差を低減することができる。
【００３３】
従って、本例の送信機における歪補償機能付き増幅装置では、開始トリガ付きの遅延調整機能を適用することで、バースト送信における送信出力オフ区間を避けて遅延調整することができ、遅延調整における誤差を低減することができる。
【００３４】
なお、本例の送信機における歪補償装置では、トリガ生成部２の機能によりトリガ信号生成手段が構成されており、遅延調整部３の機能によりタイミング差調整手段が構成されており、誤差演算部４の機能により歪補償態様生成手段が構成されており、歪補償部１の機能により歪補償実行手段が構成されている。
【００３５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００３６】
１、１０１・・歪補償部、  ２・・トリガ生成部、  ３、１０２・・遅延調整部、  ４、１０３・・誤差演算部、  ５、１０４・・増幅器、
【図１】
2012129837.tif 000003
【図２】
2012129837.tif 000004
【図３】
2012129837.tif 000005
【図４】
2012129837.tif 000006
【図５】
2012129837.tif 000007